(57)【要約】  突発的なトラフィックに対して、高品位ＱｏＳを確保して伝送できるようにする技術が開示され、その技術によれば送信ユニット１１０はネットワーク１３０を介して受信ユニット１２０へコンテンツの送信を行う場合、そのコンテンツを含むデータパケットに対して、許可コンテンツ利用ノード１５０に伝送されるべきパケットであることを示す識別情報を付加する。このパケットは高優先で伝送されてネットワークノード（例えば、中間ノード（管理ノード）１４０）で複製され、受信ユニット及び許可コンテンツ利用ノードの両方へ伝送される。許可コンテンツ利用ノードに格納されたコンテンツを参照することで、このコンテンツが高優先で伝送されるべきものであるかどうか確認可能である。許可コンテンツ利用ノードに対してコンテンツの利用権を提供することで、コンテンツ所有者は、その対価（例えば、高優先のネットワーク伝送に要する費用）を得ることが可能となる。
2012032754.tif 000002
【特許請求の範囲】
【請求項１】
ネットワークと接続を行ってデータパケットの送信を行うコンテンツ送信装置であって、
高スループットの伝送を必要とするコンテンツに関して、他の受信端末に比較して前記コンテンツの受信に制限を設けるコンテンツ受信ノードでの利用を許可するかどうかを決定するコンテンツ利用可否決定部と、
前記コンテンツ利用可否決定部において、前記コンテンツ受信ノードでの利用を許可すると判断したコンテンツに関しては、前記コンテンツ受信ノードにおいて利用可能な状態に加工するコンテンツ加工部と、
前記コンテンツ加工部で加工された前記コンテンツを含む前記データパケットを前記ネットワークへ送信するデータ送信部とを、
有するコンテンツ送信装置。
【請求項２】
前記コンテンツ加工部が、前記コンテンツ受信ノードでの利用を許可すると判断した前記コンテンツを含む前記データパケットに対して、前記データパケットが高優先かつ広帯域で伝送されるべきパケットであることを示す第１識別情報、及び、前記コンテンツ受信ノードにおいて前記データパケットに含まれる前記コンテンツが利用可能であることを示す第２識別情報を付加するように構成されている請求項１に記載のコンテンツ送信装置。
【請求項３】
前記コンテンツ加工部が、前記コンテンツ受信ノードでの利用を許可すると判断した前記コンテンツに関して、前記他の受信端末及び前記コンテンツ受信ノードの両方で復号可能な鍵を用いて暗号化を行うように構成されている請求項２に記載のコンテンツ送信装置。
【請求項４】
前記コンテンツ受信ノードが複数存在する場合には、前記コンテンツ加工部が、複数の前記コンテンツ受信ノードのそれぞれに関して個別に復号可能な鍵を用いて暗号化を行うように構成されている請求項３に記載のコンテンツ送信装置。
【請求項５】
前記コンテンツ加工部が、前記コンテンツ受信ノードでの利用を許可すると判断した前記コンテンツに関して、不正利用防止のための処理を行うよう構成されている請求項１に記載のコンテンツ送信装置。
【請求項６】
前記コンテンツ加工部が、前記コンテンツ受信ノードでの利用を許可すると判断した前記コンテンツの不正利用防止のため、前記コンテンツ受信ノード内でのみ復号可能とする設定を行うように構成されている請求項５に記載のコンテンツ送信装置。
【請求項７】
前記コンテンツ加工部が、前記コンテンツ受信ノードでの利用を許可すると判断した前記コンテンツの不正利用防止のため、前記コンテンツ受信ノードでの利用を許可すると判断した前記コンテンツの利用回数又は利用状態を制限する設定を行うように構成されている請求項５に記載のコンテンツ送信装置。
【請求項８】
前記コンテンツ加工部が、前記コンテンツ受信ノードでの利用を許可すると判断した前記コンテンツに不正利用防止用付加情報を挿入するように構成されている請求項５に記載のコンテンツ送信装置。
【請求項９】
前記コンテンツ受信ノードが複数存在する場合には、前記コンテンツ加工部が、複数の前記コンテンツ受信ノードのそれぞれに関して個別に不正利用防止のための処理を行うように構成されている請求項５に記載のコンテンツ送信装置。
【請求項１０】
前記コンテンツ加工部が、前記コンテンツ受信ノードでの利用を許可しないと判断した前記コンテンツに関して、前記データパケットを前記コンテンツ受信ノードで復号不可能な鍵を用いて暗号化を行うように構成されている請求項１に記載のコンテンツ送信装置。
【請求項１１】
前記コンテンツ加工部が、前記コンテンツ受信ノードでの利用を許可すると判断した前記コンテンツを、階層構造化処理を用いて、基本部と、前記基本部の情報量を補填する情報を含む拡張部とに分け、前記基本部を含むデータパケットと、前記拡張部を含むデータパケットとを生成するように構成されている請求項１に記載のコンテンツ送信装置。
【請求項１２】
前記コンテンツ加工部が、前記基本部を含むデータパケットに関しては、前記他の受信端末及び前記コンテンツ受信ノードの両方で復号可能な鍵を用いて暗号化を行う一方、前記拡張部を含むデータパケットに関しては、前記コンテンツ受信ノードで復号不可能な鍵を用いて暗号化を行うように構成されている請求項１１に記載のコンテンツ送信装置。
【請求項１３】
前記コンテンツ加工部が、前記基本部を含むデータパケット及び前記拡張部を含むデータパケットに対して、前記データパケットが高優先かつ広帯域で伝送されるべきパケットであることを示す第１識別情報、及び、前記コンテンツ受信ノードにおいて前記データパケットに含まれる前記コンテンツが利用可能であることを示す第２識別情報を付加するように構成されている請求項１２に記載のコンテンツ送信装置。
【請求項１４】
前記コンテンツ加工部が、前記基本部を含むデータパケット及び前記拡張部を含むデータパケットに関して、前記他の受信端末及び前記コンテンツ受信ノードの両方で復号可能な鍵を用いて暗号化を行い、前記基本部を含むデータパケットに対しては、前記データパケットが高優先かつ広帯域で伝送されるべきパケットであることを示す第１識別情報、及び、前記コンテンツ受信ノードにおいて前記データパケットに含まれる前記コンテンツが利用可能であることを示す第２識別情報を前記データパケットに付加し、前記拡張コンテンツを含むデータパケットに対しては前記第１識別情報を付加する一方で前記第２識別情報を付加しないように構成されている請求項１３に記載のコンテンツ送信装置。
【請求項１５】
前記コンテンツ受信ノードでの利用を許可しないと判断した前記コンテンツが、前記コンテンツ受信ノードでの利用を一時的に許可しない一時提供不可コンテンツである場合には、前記コンテンツ加工部は、前記一時提供不可コンテンツを含むデータパケットに対して前記コンテンツ受信ノードで復号不可能な鍵を用いて暗号化を行うように構成されている請求項１に記載のコンテンツ送信装置。
【請求項１６】
前記コンテンツ加工部が、前記一時提供不可コンテンツを含む前記データパケットに対して、前記データパケットが高優先かつ広帯域で伝送されるべきパケットであることを示す第１識別情報、及び、前記コンテンツ受信ノードにおいて前記データパケットに含まれる前記コンテンツが利用可能であることを示す第２識別情報を付加するように構成されている請求項１５に記載のコンテンツ送信装置。
【請求項１７】
前記コンテンツ受信ノードでの利用を許可しないと判断した前記コンテンツが、前記コンテンツ受信ノードでの利用を一時的に許可しない一時提供不可コンテンツである場合には、前記コンテンツ加工部が、前記一時提供不可コンテンツを含むデータパケットに関して、前記データパケットが高優先かつ広帯域で伝送されるべきパケットであることを示す第１識別情報を付加する一方、前記コンテンツ受信ノードにおいて前記データパケットに含まれる前記コンテンツが利用可能であることを示す第２識別情報を付加しないように構成されている請求項１に記載のコンテンツ送信装置。
【請求項１８】
前記コンテンツ加工部が、前記コンテンツ受信ノードでの利用を許可しないと判断した前記コンテンツを含むデータパケットに対して、前記データパケットが高優先かつ広帯域で伝送されるべきパケットであることを示す第１識別情報を付加する一方で、前記コンテンツ受信ノードにおいて前記データパケットに含まれる前記コンテンツが利用可能であることを示す第２識別情報を付加しないように構成されている請求項１に記載のコンテンツ送信装置。
【請求項１９】
前記コンテンツ受信ノードに前記コンテンツを転送する対価として、前記コンテンツ受信ノードでの利用を許可しない前記コンテンツに関するデータパケット伝送の優先制御を受けるための設定を前記ネットワークとの間で行う優先制御設定部を有する請求項１に記載のコンテンツ送信装置。
【請求項２０】
前記コンテンツ受信ノードに前記コンテンツを転送する対価として、前記優先制御設定部が、さらに、前記コンテンツ受信ノードでの利用を許可しない前記コンテンツに関するデータパケット伝送の優先制御を受けるための設定を前記ネットワークとの間で行うように構成されている請求項１９に記載のコンテンツ送信装置。
【請求項２１】
ネットワーク上に存在し、ネットワークに接続するコンテンツ送信装置から送信されるコンテンツを含むデータパケットの転送を行うネットワークノードであって、
高優先かつ広帯域で伝送されるべきデータパケットであることを示す第１識別情報と、他の受信端末に比較して前記コンテンツの受信に制限を設けるコンテンツ受信ノードにおいて前記データパケットに含まれるコンテンツの利用を許可することを示す第２識別情報とが付加された前記データパケットを転送する場合には前記データパケットを複製して、複製後の一方のデータパケットを前記他の受信端末あてに転送するとともに、複製後の他方のデータパケットを前記コンテンツ受信ノードへ転送するデータ転送処理部を有するネットワークノード。
【請求項２２】
前記コンテンツ送信装置が前記コンテンツ受信ノードに前記コンテンツを提供する対価として、前記コンテンツ受信ノードに提供する前記コンテンツを含むデータパケット伝送の優先制御を行うための設定を前記コンテンツ送信装置との間で行う優先制御設定部を有する請求項２１に記載のネットワークノード。
【請求項２３】
前記データ転送処理部が、前記コンテンツ受信ノードへ転送する前記コンテンツを含む前記データパケットに対して、前記コンテンツ受信ノードで復号不可能な鍵を用いて暗号化を行うように構成されている請求項２１に記載のネットワークノード。
【発明の詳細な説明】
【技術分野】
【０００１】
本発明は、高スループットの伝送を必要とするデータ（高スループットデータ）の伝送技術に関する。
【背景技術】
【０００２】
近年、ユーザ端末及びネットワークに係る技術の向上に伴って、一般ユーザも手軽にコンテンツ（映像コンテンツや音声（オーディオ）コンテンツを含む）などの伝送を必要とするデータを送信することができるようになってきている。例えば、一般ユーザであっても、撮像機能や収音機能を有する通信端末を用いて撮像又は集音した映像／音声コンテンツをネットワークを通じて送信することが可能である。また、通信端末のモバイル化も進んでおり、モバイルの機動性を活かして様々な場所で撮像／集音した映像／音声コンテンツを無線通信を介して送信することが可能である。【０００３】
特に、映像／音声コンテンツに関しては、そのデータ容量の大きさやリアルタイム性から高スループット（広帯域及び高優先）の伝送が行われる必要があり、ネットワークを通じて高スループットデータのトラフィックが伝送される際には、ネットワーク側は、そのトラフィックに対して、広帯域かつ高優先（低遅延、低ジッタなど）の伝送を提供する必要がある。このような高スループットデータのトラフィックの伝送においては、ネットワーク側は、特定のトラフィックにおいて伝送されるパケットや特定の端末から送信されるパケットに対して、通常のトラフィックの伝送に比べて高品位ＱｏＳ（Quality of Service：サービス品質）を確保して伝送を行う。【０００４】
なお、高スループットデータのトラフィックの伝送には、高品位ＱｏＳ確保に必要なトラフィックの伝送に対して、その都度課金を行う方法（都度課金型）と、事前の契約を交わすことで特定の端末に対する高品位ＱｏＳを事前に確保しておく方法（事前確保型）とが存在する。いずれの方法においても、ネットワーク側は、特定のトラフィックや特定の通信端末（例えば、特定のＳＩＭ（Subscriber Identity Module）カードを保持する通信端末）に関して、高スループットデータのトラフィックを広帯域かつ高優先で伝送するサービスを提供するため、通常のトラフィックの伝送に比べて高額な通信コストを請求する。【０００５】
また、下記の特許文献１には、複数のアプリケーションに対して通信システムの帯域幅を割り当てる際に、通信システムの総帯域幅を考慮しながら、優先度レベルの高いアプリケーションに対して優先的に帯域幅を割り当てる技術が開示されている。また、下記の特許文献２には、パケットにプログラムやパラメータなどを付加することで、パケット受信装置が、パケットに付加されているプログラムやパラメータに基づくパケット処理を行えるようにする技術が開示されている。
【先行技術文献】
【特許文献】
【０００６】
【特許文献１】特開２００９−５２５６４１号公報
【特許文献２】特開２００４−１８０１９２号公報
【０００７】
高スループットの伝送が必要であるという判断は、現在、ユーザ側に委ねられている。すなわち、ユーザ側の通信端末が高品位ＱｏＳを確保するためのサービスに加入して、都度課金型や事前確保型に対応した高額な通信コストを支払いさえすれば、より高スループットで伝送するサービスを受けられる。しかしながら、限りあるネットワークリソースを、高額な通信コストを支払うことができるユーザに係るトラフィックに対して使用した場合、他のＱｏＳ確保されたトラフィックに優先して高スループットで伝送する必要があるトラフィックが存在するときに、そのトラフィックに対する高品位ＱｏＳを確保できなくなってしまう可能性がある。【０００８】
特に、送信ユニット１１１０からのトラフィックが、例えば、個人的な利益ではなく公共の利益となるトラフィック（報道用コンテンツ、公共放送用コンテンツ、警察／消防用コンテンツなど）の場合には、他のトラフィックに対して優先的に伝送が行われる必要がある。例えば、事件、事故、災害、あるいは大きなコンサートなどの特別なイベントが発生している場合、多くの人々に迅速に伝える必要があり、また、警察／消防による対策が迅速に行われる必要がある。しかしながら、こうした特別なイベントが発生している現場では、一般ユーザも自身の通信端末から映像／音声コンテンツを送信する（興味本位に送信するため通常の状態よりもコンテンツ送信が集中する）ことが考えられ、公共の利益となるトラフィックが確実に伝送できなくなってしまう可能性がある。【０００９】
例えば、図７に図示されているように、複数のユーザがそれぞれの通信端末（他の通信端末１１９０）が、映像／音声コンテンツの送信を行っているとする。なお、ここでは、他の通信端末１１９０が同一エリアから同一基地局を通じてネットワーク１１３０（不図示のコンテンツ受信装置）へ映像／音声コンテンツの送信を行っているとする。ここで、他の通信端末１１９０と同様に、特定の送信ユニット１１１０がカメラ１１００で撮影した映像コンテンツをネットワーク１１３０を介して受信ユニット１１２０へ送信しようとした場合、既に他の通信端末１１９０からのトラフィックによってネットワークリソースが消費されており、送信ユニット１１１０から送信されるトラフィックに対して高品位ＱｏＳの確保ができなかったり、送信ユニット１１１０によるネットワーク１１３０へのアクセス自体が制限されてしまったりする可能性がある。【００１０】
また、トラフィックに対する帯域の確保については、以下の都度課金型及び事前確保型が存在している。【００１１】
都度課金型では、特定のトラフィックに対してのみ高品位ＱｏＳが確保され、ユーザは高品位ＱｏＳが確保された分に対しての対価を支払う。例えば、送信ユニット１１１０が映像コンテンツの送信を行う送信ユニット１１１０は、ネットワーク１１３０へアクセスして接続を行い、映像コンテンツのエンコードを行って受信ユニット１１２０への送信を開始する。この場合、映像コンテンツの送信用に設定されるセッションは多くの場合従量制課金であり、ネットワーク１１３０は、帯域に空きがある限り映像コンテンツの伝送を行う。しかしながら、アクセスが集中しているような状況では、ネットワーク１１３０側が送信ユニット１１１０のアクセスを制限する場合があり、送信ユニット１１１０はネットワーク１１３０への接続自体が不可能となる。また、ネットワーク１１３０へのアクセスが完了したとしても、ネットワーク１１３０側は、同じくネットワーク１１３０に接続されている他の通信端末１１９０からの都度課金型トラフィックとのバランスを図るため、送信ユニット１１１０のトラフィック伝送に必要な空き帯域が確保できない場合がある。また、課金方法が従量制課金のため、ユーザが負担する通信コストが高額になってしまう。また、ネットワーク１１３０側は、個人的な利益となるトラフィックと、公共の利益となるトラフィックとを判別することができず、特にアクセスが集中してネットワークリソースが不足しやすい特別なイベントが発生している場合、公共の利益となるトラフィックを優先して伝送することが不可能である。【００１２】
また、事前確保型では、例えば、通信端末はネットワーク１１３０へアクセスした際に、端末認証において優先して接続可能であり、また、契約した帯域でデータ送信を行うことが可能である。しかしながら、ネットワーク側は、その通信端末がアクセスする地点において、契約を満たす帯域分のスループットをあらかじめ確保しておく必要がある。通信端末がどの地点からでもアクセスを行うことができるモバイル端末である場合、ネットワーク側は任意のアクセスネットワークにおいて、事前確保型のアクセスに対応できるような帯域を常に確保しておく必要がある。しかも、複数の事前確保型の通信端末がアクセスした場合であっても、すべての複数の事前確保型の通信端末の帯域を確保できるようにしておく必要がある。このため、ネットワーク側は、随時広帯域を提供できるだけの設備を整えなければならない。また、ネットワーク１１３０側は、個人的な利益となるトラフィックと、公共の利益となるトラフィックとを判別することができず、事前確保型の通信端末からのトラフィックが他のＱｏＳ確保されたトラフィックに優先して伝送する必要があるトラフィックか否かにかかわらず、優先的な伝送を行わなければならない。【００１３】
また、特許文献１に開示されている技術は、あるブロードキャストサーバにおける複数のアプリケーションから送出されるパケットに対して優先度レベルに応じた帯域幅を割り当てるものである。すなわち、特許文献１に開示されている技術は、他の端末（他のブロードキャストサーバ）との間における利用可能な帯域幅のバランスを考慮するものではなく、あるブロードキャストサーバに対して元々割り当てられている利用可能な帯域幅が少ない場合には、そのブロードキャストサーバがパケット送信を適切に行うことを可能にするものではない。上記のように、特許文献１に開示されている技術は、複数のアプリケーションのそれぞれの優先度に応じた帯域幅の割り当てはできるものの、ネットワークに接続されている複数の端末に係る優先度に応じた帯域幅の割り当てを行うことはできない。特に、特許文献１に開示されている技術では、利用可能な残り帯域幅が少ないネットワークにブロードキャストサーバが新たに接続しようとした場合に、アクセス制限によって接続自体ができないなどの問題を解決することができない。【００１４】
また、従来、データパケットに優先度を示すタグ付けを行ったり、あるいは、特許文献２に開示されているようにプログラムやパラメータを付加したりする方法が存在している。本発明もデータパケットに付加的な情報を付けるが、この付加的な情報に基づいた本発明に係る動作を行ったり、本発明に係る目的や効果を実現したりすることが可能な従来の技術は存在しない。
【発明の概要】
【００１５】
上記の課題を解決するため、本発明は、突発的なトラフィックに対して、高品位ＱｏＳを確保して伝送できるようにすることを目的とする。また、上記の課題を解決するため、本発明は、ユーザ側の通信コストを抑えたトラフィック伝送を実現することを目的とする。また、上記の課題を解決するため、本発明は、他のＱｏＳ確保されたトラフィックに優先して高スループットで伝送する必要があるトラフィックかどうかをネットワーク側が確認できるようにすることを目的とする。
【００１６】
上記の目的を達成するため、本発明のコンテンツ送信装置は、ネットワークと接続を行ってデータパケットの送信を行うコンテンツ送信装置であって、
高スループットの伝送を必要とするコンテンツに関して、他の受信端末とは異なるコンテンツ受信ノードでの利用を許可するかどうかを決定するコンテンツ利用可否決定部と、
前記コンテンツ利用可否決定部において、前記コンテンツ受信ノードでの利用を許可すると判断したコンテンツに関しては、前記コンテンツ受信ノードにおいて利用可能な状態に加工するコンテンツ加工部と、
前記コンテンツ加工部で加工された前記コンテンツを含む前記データパケットを前記ネットワークへ送信するデータ送信部とを、
有する。
この構成により、コンテンツ送信装置は、突発的なトラフィックに対して、高品位ＱｏＳを確保して伝送できるようになる。また、ユーザ側の通信コストを抑えたトラフィック伝送が実現できるようになる。また、他のＱｏＳ確保されたトラフィックに優先して高スループットで伝送する必要があるトラフィックかどうかをネットワーク側が確認できるようになる。
【００１７】
また、上記の目的を達成するため、本発明のネットワークノードは、ネットワーク上に存在し、ネットワークに接続するコンテンツ送信装置から送信されるコンテンツを含むデータパケットの転送を行うネットワークノードであって、
高優先かつ広帯域で伝送されるべきデータパケットであることを示す第１識別情報と、他の受信端末に比較して前記コンテンツの受信に制限を設ける受信端末とは異なるコンテンツ受信ノードにおいて前記データパケットに含まれるコンテンツの利用を許可することを示す第２識別情報とが付加された前記データパケットを転送する場合には前記データパケットを複製して、複製後の一方のデータパケットを前記他の受信端末あてに転送するとともに、複製後の他方のデータパケットを前記コンテンツ受信ノードへ転送するデータ転送処理部を有する。
この構成により、コンテンツ送信装置は、突発的なトラフィックに対して、高品位ＱｏＳを確保して伝送できるようになる。また、ユーザ側の通信コストを抑えたトラフィック伝送が実現できるようになる。また、他のＱｏＳ確保されたトラフィックに優先して高スループットで伝送する必要があるトラフィックかどうかをネットワーク側が確認できるようになる。
【００１８】
本発明は、上記の構成を有しており、突発的なトラフィックに対して、高品位ＱｏＳを確保して伝送できるようにするという効果、ユーザ側の通信コストを抑えたトラフィック伝送を実現するという効果、他のＱｏＳ確保されたトラフィックに優先して高スループットで伝送する必要があるトラフィックかどうかをネットワーク側が確認できるようにするという効果を有する。
【図面の簡単な説明】
【００１９】
【図１】本発明の実施の形態におけるネットワーク構成の一例を示す図
【図２】本発明の実施の形態における動作の一例を示すシーケンスチャート
【図３】本発明の実施の形態において伝送されるコンテンツのデータフォーマットの一例を示す図
【図４】本発明の実施の形態において、通常送信モードから許可前モードに移行し、その後、許可前モードから高レベルＱｏＳ確保モードに移行する場合の一例を示す図
【図５】本発明の実施の形態における送信ユニット１１０の構成の一例を示すブロック図
【図６】本発明の実施の形態における中間ノード（管理ノード）の構成の一例を示すブロック図
【図７】従来の技術におけるネットワーク構成の一例を示す図
【発明を実施するための形態】
【００２０】
以下、図面を参照しながら、本発明の実施の形態について説明する。図１は、本発明の実施の形態におけるネットワーク構成の一例を示す図である。なお、図１には、本発明に係る通常送信モード時のデータの流れ、及び、本発明に係る高レベルＱｏＳ確保モード（高スループット送信モード）時のデータの流れも図示されている。
【００２１】
図１には、カメラ１００、送信ユニット１１０、受信ユニット１２０、ネットワーク１３０、中間ノード（管理ノード）１４０、許可コンテンツ利用ノード１５０が図示されている。
【００２２】
送信ユニット１１０は、例えば、カメラ１００などによって撮影されたコンテンツを取得して、受信ユニット１２０に向けて送信する機能を有している。また、受信ユニット１２０は、ネットワーク１３０を通じて送信ユニット１１０から送信されてきたコンテンツを受信する機能を有している。また、許可コンテンツ利用ノード１５０は、送信ユニット１１０から受信ユニット１２０へ送信されるコンテンツのうちの特別なコンテンツ（一部のコンテンツ）を受信する機能を有している。また、中間ノード（管理ノード）１４０はネットワーク１３０上に位置しており、送信ユニット１１０から受信ユニット１２０へコンテンツを伝送する機能、コンテンツの伝送におけるＱｏＳ設定やルーティング設定の機能、送信ユニット１１０の認証機能や課金機能などを有している。なお、中間ノード（管理ノード）１４０の各機能は、ネットワーク１３０上のオペレータが管理するルータや基地局、サービス管理サーバに分散されていてもよいが、ここでは、これらのオペレータ（ネットワーク１３０を所有、管理する通信事業者）によって提供される機能が中間ノード（管理ノード）１４０に存在していると表現する。また、許可コンテンツ利用ノード１５０がネットワーク１３０によって所有されているノードであり、中間ノード（管理ノード）１４０に含まれていてもよい。
【００２３】
本発明の実施の形態では、例えば、カメラ１００及び送信ユニット１１０を用いて、様々な撮影場所において撮影したコンテンツを、ネットワーク１３０を通じて特定の受信ユニット１２０へ送信する場合を想定する。具体的には、放送局のカメラ１００及び送信ユニット１１０が、報道する価値の高いイベント（事件や事故、災害など）が起こっている現場へ赴き、現場の様子を撮影したコンテンツを報道用コンテンツとして放送局内の受信ユニット１２０（例えば、放送局内のコンテンツ受信サーバ）へ送信し、放送局内で報道用コンテンツの加工処理を行って、ニュース番組などのコンテンツとして放送を行う場合を想定する。また、この場合、送信ユニット１１０がコンテンツ送信のために接続するネットワーク１３０は公衆網であることが想定される。
【００２４】
より一般化して説明すると、送信ユニット１１０及び受信ユニット１２０は、特定のコンテンツ所有者（コンテンツ権利者）に属しており、ネットワークサービスを提供するオペレータに属するネットワーク１３０を通じてコンテンツの伝送が行われる場合を想定する。なお、ここでは、最も理解しやすいシナリオとして、現場で撮影したコンテンツを放送に利用する場合（コンテンツ所有者が放送局の場合）について説明するが、例えば、消防や警察がコンテンツ所有者であってもよい。
【００２５】
なお、カメラ１００と送信ユニット１１０との間の接続や、送信ユニット１１０とネットワーク１３０との間の接続は、無線接続であってもよく有線接続であってもよい。また、カメラ１００で撮影したコンテンツはいったん記録メディアに格納され、コンテンツの送信時に送信ユニット１１０が記録メディアから送信すべきコンテンツを読み出して送信してもよい。また、カメラ１００で撮影したコンテンツに対して何らかの加工処理を行った後、送信ユニット１１０がコンテンツを送信してもよい。また、コンテンツは、例えば映像コンテンツ及び／又は音声コンテンツなどのようなネットワーク伝送において高スループットが要求されるデータであり、以下では、コンテンツを含むデータを高スループットデータと呼ぶこともある。
【００２６】
ここで、送信ユニット１１０がネットワーク１３０を経由して受信ユニット１２０へコンテンツの送信を行おうとしているとする。しかしながら、送信ユニット１１０がコンテンツ送信を行う際に、他の多数の通信端末１９０によるアクセスやトラフィックによって、送信ユニット１１０によるコンテンツ送信が妨げられてしまったり、コンテンツの送信に必要なトラフィックがネットワーク１３０において確保できなかったりする可能性がある。
【００２７】
特に、本発明で想定しているシナリオでは、送信ユニット１１０が何らかのイベントが起こっている現場からネットワーク１３０へ接続し、コンテンツの送信を行う場合を想定している。この場合、送信ユニット１１０と同様に、他の多数の通信端末１９０もコンテンツの送信を行おうとしていることが予想される。具体的には、多数の人々が集まっているコンサート会場では、多数の人々がそれぞれ保持している通信端末１９０を用いてコンサートの様子を送信することが予想され、また、事件や事故の現場に居合わせた人々（いわゆる、野次馬）がそれぞれ通信端末１９０を用いて現場の様子を送信することが予想される。このように、接続局へのアクセスが集中したり、過剰なトラフィック量が発生したりした場合には、結果的に送信ユニット１１０によるコンテンツ送信が失敗してしまう可能性がある。特に、送信ユニット１１０から送信されるコンテンツが、公共の利益となるコンテンツであり、他のＱｏＳ確保されたトラフィックに優先して高スループットで伝送する必要があるトラフィックの場合には、そのトラフィックが確実に伝送される必要がある。
【００２８】
このように、送信ユニット１１０が送信する突発的なトラフィックに対して、ネットワーク１３０が高品位ＱｏＳを確保して伝送できるようにするため、本発明では、ネットワーク１３０は、送信ユニット１１０からのコンテンツのトラフィックを受信ユニット１２０へ伝送するとともに、許可コンテンツ利用ノード１５０へ格納し、許可コンテンツ利用ノード１５０に格納されたコンテンツは、許可コンテンツ利用ノード１５０（ネットワーク１３０のオペレータと同一であってもよい）の所有者が利用可能とする。
【００２９】
許可コンテンツ利用ノード１５０の所有者は、許可コンテンツ利用ノード１５０に格納されたコンテンツを参照可能であり、これによって、例えばそのコンテンツが公共の利益となるコンテンツであり、他のＱｏＳ確保されたトラフィックに優先して高スループットで伝送する必要があるトラフィックかどうかを確認することが可能である。他のＱｏＳ確保されたトラフィックに優先して高スループットで伝送する必要があるトラフィックではない場合には、（直接制御できない場合はネットワーク１３０のオペレータに依頼するなどして）ネットワーク１３０は、中間ノード（管理ノード）１４０の動作によって、リアルタイムにそのトラフィックの伝送を制御したり（トラフィックの伝送を停止、あるいは通常のトラフィックと同様の扱い）、事後的に確認して、そのトラフィックを送信していた送信ユニット１１０（あるいは、その送信ユニット１１０を所有する同一所有者の送信ユニット）からのトラフィックに対して制限を設けたりすることが可能である。
【００３０】
また、許可コンテンツ利用ノード１５０の所有者は、許可コンテンツ利用ノード１５０に格納されたコンテンツの利用権（例えば、再配信する権利）を受ける見返りとして、そのトラフィックの伝送に関して発生するＱｏＳ確保のための通信コストの一部又は全部を肩代わりする（代わりに支払う）ことが可能である。すなわち、許可コンテンツ利用ノード１５０の所有者は送信ユニット１１０から受信するコンテンツの利用の対価として、ネットワーク１３０におけるトラフィックの高スループット伝送のためのＱｏＳ確保に要する対価を支払うことが可能である。
【００３１】
以下、図２を参照しながら、本発明の実施の形態における動作の一例について説明する。図２は、本発明の実施の形態における動作の一例を示すシーケンスチャートである。
【００３２】
図２において、まず、送信ユニット１１０から送信されるコンテンツに対して高品位ＱｏＳが確保されるようにするため、コンテンツ所有者（送信ユニット１１０及び受信ユニット１２０の利用者）、オペレータ（中間ノード（管理ノード）１４０の所有者）、許可コンテンツ利用者（許可コンテンツ利用ノード１５０の利用者）の間で、事前に取り決めを行う（ステップＳ２０１）。
【００３３】
このステップＳ２０１の事前合意では、送信ユニット１１０から送信されたコンテンツ（の一部）を許可コンテンツ利用ノード１５０へ提供すること、許可コンテンツ利用ノード１５０へ提供するコンテンツの品質や利用規程（利用目的や利用方法など）、送信ユニット１１０から送信されるコンテンツに対してネットワーク１３０がＱｏＳの確保を行うこと、その際の課金レートの条件などが決定される。なお、本明細書において、コンテンツの提供とは、主に、許可コンテンツ利用ノード１５０においてコンテンツを参照及び利用できるようにすることを意味している。この事前合意が完了すると、事前合意によって取り決められた合意・設定情報が、必要に応じて、各ノードが参照可能な場所に格納される。なお、合意・設定情報が複数存在する場合もあり、この場合には、それぞれ適切なものを選んで設定が行えるよう区別して保持される。
【００３４】
なお、ここでは、送信ユニット１１０から送信要請が送信される前に取り決めを行っているが、この取り決めは、あらかじめ静的に行われていてもよく、あるいは、送信ユニット１１０から送信要請が送信される直前又は直後に行われてもよい。また、送信ユニット１１０がネットワーク１３０に接続されていない状態からネットワーク１３０にアクセスする場合には、ネットワーク１３０は、本発明に係る方法を用いている送信ユニット１１０によるネットワーク１３０へのアクセスを優遇する処理を行うことが望ましい。
【００３５】
続いて、送信ユニット１１０はコンテンツの送信を行う準備として、ネットワーク１３０に対して送信要請を行う（ステップＳ２０３）。この送信要請では、送信ユニット１１０は、送信ユニット１１０における判断、若しくは受信ユニット１２０からの指示に従って、合意・設定情報に基づいたデータ伝送を行いたい旨を通知するメッセージをネットワーク１３０（具体的には、例えば、ネットワーク１３０内に位置しているＱｏＳなどの管理を行う管理ノード）へ送信する。
【００３６】
ネットワーク１３０の中間ノード（管理ノード）１４０は、送信ユニット１１０から送信要請を受信すると、合意・設定情報に基づいて、ＱｏＳ設定、ルーティング設定、アカウンティング設定などのデータ転送設定処理を行う（ステップＳ２０５）。具体的には、ネットワーク１３０の中間ノード（管理ノード）１４０は、合意・設定情報に基づいて、送信ユニット１１０からのコンテンツに対して優先してアクセス許可を与え、通信帯域を付与する設定、従来からの送信先（受信ユニット１２０）及び許可コンテンツ利用ノード１５０へのデータ伝送の両立（例えば、各ノードに対して転送するデータ選択、データ複製、ルーティング、コンテンツの暗号化解除などを含むかもしれない）などの設定を行う。なお、送信ユニット１１０と中間ノード（管理ノード）１４０との間で、送信ユニット１１０から送信されるデータは、後述のように送信ユニット１１０から許可コンテンツ利用ノード１５０に対して伝送されるデータだけではなく、送信ユニット１１０から許可コンテンツ利用ノード１５０に対して伝送されることのないデータに関しても、優先制御が行われるよう合意・設定されてもよい。
【００３７】
データ転送設定処理が完了すると（あるいは、一定レベルのデータ転送設定処理が完了した時点で）、中間ノード（管理ノード）１４０は、送信要請に対する応答として、合意・設定情報に基づくデータ伝送が許可された旨の通知を送信ユニット１１０へ送信する（ステップＳ２０７）。なお、ここでは、合意・設定情報に基づくデータ伝送が許可された場合について詳細に説明するが、合意・設定情報に基づくデータ伝送が許可できない場合には、中間ノード（管理ノード）１４０は、送信要請に対する応答として、合意・設定情報に基づくデータ伝送が許可できない旨の通知を送信ユニット１１０へ送信し、その結果、合意・設定情報に基づくデータ伝送は行われない。
【００３８】
また、中間ノード（管理ノード）１４０は、許可コンテンツ利用ノード１５０との間においても必要な設定があれば行う（ステップＳ２０８）。例えば、暗号化されたコンテンツを許可コンテンツ利用ノード１５０へルーティングして許可コンテンツ利用ノード１５０に格納させるような場合は、暗号化解除（復号）のための鍵情報などを通知してもよい。コンテンツが暗号化されている場合には、許可コンテンツ利用ノード１５０は暗号化されたままの状態でコンテンツを格納してもよく、また、復号を行ってからコンテンツを格納してもよい。また、中間ノード（管理ノード）１４０でコンテンツの復号を行ってから許可コンテンツ利用ノード１５０へ転送し、許可コンテンツ利用ノード１５０が既に復号されたコンテンツを格納してもよい。
【００３９】
送信ユニット１１０は、中間ノード（管理ノード）１４０からデータ伝送の許可通知を受信すると、本発明に係るコンテンツ送信を行うことができる状態となる。そして、送信ユニット１１０は、コンテンツ送信を開始する。この際、送信ユニット１１０は、送信すべきコンテンツに関して、許可コンテンツ利用ノード１５０において利用可能とするかどうか（利用を許可するかどうか）を判断しながら、コンテンツを含むデータパケットの送信を行う。なお、個々のコンテンツに関してその都度、許可コンテンツ利用ノード１５０において利用可能とするかどうかの判断を行ってもよく、また、例えば、一定期間送信するコンテンツについては許可コンテンツ利用ノード１５０において利用可能とするなどの判断を行ってもよい。また、送信ユニット１１０は、送信するコンテンツに関して、中間ノード（管理ノード）１４０においてコンテンツの区分ができるような符号化処理、コンテンツの暗号化処理、ＱｏＳ確保が行われているデータ伝送であることが分かるような情報（高優先かつ広帯域で伝送されるべきパケットであることを示す情報）の付加、許可コンテンツの識別情報（許可コンテンツ利用ノード１５０においてコンテンツが利用可能であることを示す情報）の付加などを行ってから、コンテンツを受信ユニット１２０あてに送信する（ステップＳ２０９、Ｓ２１１）。
【００４０】
中間ノード（管理ノード）１４０を含むネットワーク１３０のノードは、基本的に合意・設定情報に基づいて動作を行う。これにより、送信ユニット１１０には優先的にネットワーク１３０へのアクセス許可が与えられ、送信ユニット１１０から送信されたコンテンツには、伝送に十分な通信帯域が付与される。
【００４１】
また、中間ノード（管理ノード）１４０は、送信ユニット１１０から送信されるコンテンツを転送する際に、合意・設定情報に従ってパケット転送処理を行い（ステップＳ２１３）、コンテンツを従来からの送信先（受信ユニット１２０）に転送するとともに（ステップＳ２１５）、許可コンテンツ利用ノード１５０への転送も行う（ステップＳ２１７）。例えば、中間ノード（管理ノード）１４０は、オリジナルのコンテンツ（送信ユニット１１０から送信されたコンテンツ）を受信ユニット１２０へ転送するとともに、受信ユニット１２０あてのコンテンツを複製して（あるいは、コンテンツの一部のみを複製したり、コンテンツの品質を落としたものを作成してもよい）、複製したコンテンツを許可コンテンツ利用ノード１５０へ転送する。この際、転送先を判断する場合にいくつかの異なるバリエーションが実現可能である。例えば、中間ノード（管理ノード）１４０は、データパケットに許可コンテンツの識別情報が付加されているかどうかを判断し、許可コンテンツの識別情報が付加されているデータパケットに関して、受信ユニット１２０及び許可コンテンツ利用ノード１５０の両方へ転送するよう動作してもよい。あるいは、例えば、中間ノード（管理ノード）１４０は、送信ユニット１１０から送信されてきたすべてのデータパケットを受信ユニット１２０及び許可コンテンツ利用ノード１５０の両方へ転送するよう動作してもよい。あるいは、例えば、中間ノード（管理ノード）１４０は、データパケットに含まれている転送先（例えば、許可コンテンツの識別情報として、特定の許可コンテンツ利用ノード１５０の識別情報が含まれている）を特定し、受信ユニット１２０及び特定の転送先の両方へそのデータパケットを転送するようにしてもよい。
【００４２】
受信ユニット１２０は、中間ノード（管理ノード）１４０から転送されたコンテンツを受信して利用（格納、加工、配信など）を行うことが可能である。また、許可コンテンツ利用ノード１５０も、中間ノード（管理ノード）１４０から転送されたコンテンツ（あるいは、コンテンツの一部）を受信して格納することが可能である。許可コンテンツ利用ノード１５０は、格納されたコンテンツを参照したり、利用（格納、加工、配信など）したりすることが可能である。なお、コンテンツが暗号化されている場合には、受信ユニット１２０及び許可コンテンツ利用ノード１５０は、コンテンツの利用の際に、それぞれ利用可能な暗号化解除用の鍵（復号鍵）を用いてコンテンツを復号してもよい。
【００４３】
上述のステップＳ２１３における中間ノード（管理ノード）１４０の基本動作は、送信ユニット１１０から受信した許可コンテンツを、受信ユニット１２０及び許可コンテンツ利用ノード１５０の両方へ転送する処理を行うことであるが、送信ユニット１１０におけるデータパケットの加工方法に応じて、複数の動作バリエーションが存在する。以下、送信ユニット１１０及び中間ノード（管理ノード）１４０において行われる動作例について説明する。
【００４４】
例えば、送信ユニット１１０は、許可コンテンツ利用ノード１５０での利用を許可するコンテンツを含むデータパケットにのみ許可コンテンツの識別情報を付加し、中間ノード（管理ノード）１４０は、許可コンテンツの識別情報を許可コンテンツ利用ノード１５０へ転送することを示す情報として識別し、許可コンテンツの識別情報が付加されているデータパケットを複製して許可コンテンツ利用ノード１５０に対しても転送することで、本発明が実現されてもよい。この場合には、許可コンテンツ利用ノード１５０での利用を許可するコンテンツは許可コンテンツ利用ノード１５０へ転送される一方、許可コンテンツ利用ノード１５０での利用を許可しないコンテンツは許可コンテンツ利用ノード１５０へ転送されないようになる。
【００４５】
また、送信ユニット１１０は、許可コンテンツ利用ノード１５０での利用を許可しないコンテンツを含むデータパケットに対しても許可コンテンツの識別情報を付加するとともに、許可コンテンツ利用ノード１５０で復号不可能な暗号化を施し、中間ノード（管理ノード）１４０は、許可コンテンツの識別情報が付加されているデータパケットを複製して、許可コンテンツ利用ノード１５０に対しても転送することで、本発明が実現されてもよい。この場合には、許可コンテンツ利用ノード１５０での利用を許可しないコンテンツも許可コンテンツ利用ノード１５０へ転送されることになるが、復号不可能な暗号化が施されているため、許可コンテンツ利用ノード１５０での利用は不可能となる。なお、例えば、中間ノード（管理ノード）１４０が、許可コンテンツ利用ノード１５０での利用を許可しないコンテンツを含むデータパケットを識別して（例えば、許可コンテンツの識別情報が付加されていないなど）、許可コンテンツ利用ノード１５０で復号不可能な暗号化を施してもよい。
【００４６】
また、送信ユニット１１０は、許可コンテンツ利用ノード１５０での利用を許可するコンテンツを含むデータパケットに関して、コンテンツの利用を許可する許可コンテンツ利用ノード１５０の識別情報をデータパケットに挿入することによって（例えば、許可コンテンツの識別情報が許可コンテンツ利用ノード１５０の識別情報を含む）、中間ノード（管理ノード）１４０において、転送先の許可コンテンツ利用ノード１５０を特定できるようにしてもよい。これは、特に複数の許可コンテンツ利用ノード１５０が存在する場合に、特定の複数の許可コンテンツ利用ノード１５０に対してコンテンツを転送させる場合に有効である。
【００４７】
また、送信ユニット１１０は、許可コンテンツ利用ノード１５０での利用を許可しないコンテンツを含むデータパケットに対しても、許可コンテンツ利用ノード１５０へ転送することを示す情報を付加するとともに、許可コンテンツ利用ノード１５０で復号不可能な暗号化を施し、中間ノード（管理ノード）１４０は、許可コンテンツの識別情報が付加されているデータパケットを複製して、許可コンテンツ利用ノード１５０に対しても転送することで、本発明が実現されてもよい。この場合、中間ノード（管理ノード）１４０が、許可コンテンツの識別情報の有無に応じて許可コンテンツ利用ノード１５０に対してデータパケットの転送を行うかどうかの判断を行っているのであれば、許可コンテンツ利用ノード１５０へ転送することを示す情報として、上述した許可コンテンツの識別情報を利用することが可能である。
【００４８】
次に、図３を参照しながら、中間ノード（管理ノード）１４０が受信ユニット１２０及び許可コンテンツ利用ノード１５０の両方へコンテンツを転送する方法の一例について説明する。図３は、本発明の実施の形態において伝送されるコンテンツのデータフォーマットの一例を示す図である。
【００４９】
図３のＡには、送信ユニット１１０が送信しようとするコンテンツが模式的に図示されている。図３のＡに模式的に図示されているコンテンツは、オリジナルのコンテンツ（例えば、カメラ１００によって撮影されたコンテンツ）から、対象とする伝送路の状態に応じてある程度の情報量削減や帯域制限が施されているかもしれないが、基本的に、送信区間において最も高精細なコンテンツの原型として取り扱われるものである。以下、図３のＡに模式的に図示されているコンテンツを高精細コンテンツと呼ぶことがある。
【００５０】
また、図３のＢには、送信ユニット１１０が通常送信モードで送信する際のコンテンツが模式的に図示されている。送信ユニット１１０は、例えば、通常送信モード時には、高精細コンテンツに対して階層構造化処理を施して基本部と拡張部とに分け、受信ユニット１２０へ送信することが可能である。
【００５１】
基本部は、コンテンツ所有者が、最低限伝送したいと望んでいる品質のコンテンツである。この基本部のデータは、通常送信モード時において高優先設定で送信され、高優先設定であることが分かる識別子が含まれる。また、例えば、送信ユニット１１０は基本部に対して、コンテンツ所有者のみが利用可能なコンテンツ保護（暗号化処理）を行うことが可能である。なお、階層符号化処理を利用した場合、基本部には、コンテンツの再生に必須の成分が含まれる。
【００５２】
一方、拡張部は、基本部を符号化した後、高精細コンテンツとの差分（コンテンツの高精細成分）を取り出したものである。すなわち、基本部と拡張部とを合わせることで高精細コンテンツが構成される。この拡張部のデータは、非優先で送信されることを前提としており、伝送路においてデータ損失が発生するかもしれないが、拡張部のデータが失われた場合でも、基本部のデータのみでコンテンツの再生が可能である。また、例えば、送信ユニット１１０は拡張部に対して、基本部と同様に、コンテンツ所有者のみが利用可能なコンテンツ保護（暗号化処理）を行うことが可能である。また、上述のように、コンテンツの再生に必須の成分は基本部に含まれているため、送信ユニット１１０は、拡張部を送信しないようにしてもよい（特に、後述の図３のＣに図示されている高レベルＱｏＳ確保時において）。
【００５３】
また、図３のＣには、送信ユニット１１０が高レベルＱｏＳ確保モードで送信する際のコンテンツが模式的に図示されている。送信ユニット１１０は、例えば、高レベルＱｏＳ確保時には、さらに基本部に対して階層構造化処理を施して高レベルＱｏＳ基本部とＱｏＳ拡張部とに分け、受信ユニット１２０へ送信することが可能である。
【００５４】
高レベルＱｏＳ基本部は、高レベルＱｏＳ確保時に許可コンテンツ利用ノード１５０へ伝送したいコンテンツであり、コンテンツの所有者及び許可コンテンツ利用ノード１５０の所有者の両方で参照可能なコンテンツ（許可コンテンツ）である。なお、高レベルＱｏＳ基本部の品質は、事前合意において、解像度、画面サイズ、フレームレートなどにより規定されているとよい。この高レベルＱｏＳ基本部のデータは、高レベルＱｏＳ確保モード時において高優先設定で送信され、高レベルＱｏＳが必要であることを示す識別子が含まれ、さらに必要に応じて高優先設定であることが分かる識別子が含まれる。なお、高レベルＱｏＳが必要であることを示す識別子と、高優先設定であることが分かる識別子とは、まとめて１つの識別子によって実現されてもよい。また、例えば、送信ユニット１１０は高レベルＱｏＳ基本部に対して、コンテンツ所有者及び許可コンテンツ利用者の両方が利用可能なコンテンツ保護（暗号化処理）を行うことが可能である。なお、階層符号化処理を利用した場合、高レベルＱｏＳ基本部には、コンテンツの再生に必須の成分が含まれる。
【００５５】
一方、ＱｏＳ拡張部は、高レベルＱｏＳ基本部を符号化した後、基本部との差分を取り出したものであり、コンテンツの所有者で参照可能なコンテンツである。すなわち、高レベルＱｏＳ基本部とＱｏＳ拡張部とを合わせることで基本部が構成される。このＱｏＳ拡張部のデータは、高レベルＱｏＳ確保モード時において高優先設定で送信され、高レベルＱｏＳが必要であることを示す識別子が含まれ、さらに必要に応じて高優先設定であることが分かる識別子が含まれる。なお、高レベルＱｏＳが必要であることを示す識別子と、高優先設定であることが分かる識別子とは、まとめて１つの識別子によって実現されてもよい。また、例えば、送信ユニット１１０はＱｏＳ拡張部に対して、コンテンツ所有者のみが利用可能なコンテンツ保護（暗号化処理）を行うことが可能である。
【００５６】
上記のように、通常送信モードと高レベルＱｏＳ確保モードとを規定しておき、送信ユニット１１０は、通常のコンテンツの送信を通常送信モードで行い、許可コンテンツ利用ノード１５０に格納されてもよいコンテンツ（伝送に高レベルＱｏＳの確保が必要なコンテンツ）の送信を高レベルＱｏＳ確保モードで行うことが可能である。すなわち、送信ユニット１１０は、特に高レベルＱｏＳの確保を必要としない通常のコンテンツについては、図３のＢに図示されているフォーマットで送信を行う。これにより、送信ユニット１１０から受信ユニット１２０へ、少なくとも図３のＢに図示されている基本部が伝送される、なお、上述のように、基本部のデータのみでコンテンツの再生が可能であるように構成されており、拡張部は必ずしも送信ユニット１１０から受信ユニット１２０へ届かなくても、受信ユニット１２０は、コンテンツの再生が可能である。一方、送信ユニット１１０は、高レベルＱｏＳの確保を必要とするコンテンツ（図２においてステップＳ２０９で送信されるコンテンツ）については、図３のＣに図示されているフォーマットで送信を行う。これにより、送信ユニット１１０から受信ユニット１２０へ、少なくとも図３のＣに図示されている高レベルＱｏＳ基本部及びＱｏＳ拡張部が高スループットで伝送され、送信ユニット１１０から許可コンテンツ利用ノード１５０へ、少なくとも図３のＣに図示されている高レベルＱｏＳ基本部が高スループットで伝送される。
【００５７】
なお、この場合、送信ユニット１１０から受信ユニット１２０へ伝送される高レベルＱｏＳ基本部及びＱｏＳ拡張部に比べて、送信ユニット１１０から許可コンテンツ利用ノード１５０へは、より品質の低い（情報量が少ないことを意味する）高レベルＱｏＳ基本部のみが伝送される。しかしながら、許可コンテンツ利用ノード１５０は、コンテンツの参照及び確認や、コンテンツの２次的な利用を目的として、コンテンツを格納するため、オリジナルのコンテンツの品質がそのまま維持される必要はない。また、コンテンツの所有者が許可コンテンツ利用ノード１５０の所有者に対して提供するコンテンツの品質を、意図的に落とすようにすることも可能である。また、送信ユニット１１０は、許可コンテンツ利用ノード１５０に格納されるコンテンツに、ウォーターマーク、電子透かし、コンテンツ自体の識別情報、２次利用などを管理するための追跡情報などの付加情報を挿入することで、許可コンテンツ利用ノード１５０に格納されるコンテンツの不正利用を防止することが可能である。また、コンテンツの不正利用を防止する既存のコンテンツ再生制御システム（例えば、デジタル著作権管理（Digital Rights Management：ＤＲＭ）、コピーワンス、ダビング１０など）を利用し、コンテンツの利用回数や利用状態に制限を設けるようにしてもよい。
【００５８】
なお、上記の説明では、通常送信モードの際は、送信ユニット１１０から受信ユニット１２０へ少なくとも基本部が伝送され、高レベルＱｏＳ確保モードの際は、送信ユニット１１０から受信ユニット１２０へ少なくとも高レベルＱｏＳ基本部及びＱｏＳ拡張部(基本部）が伝送されるとともに、中間ノード（管理ノード）１４０において高レベルＱｏＳ基本部が複製され、その結果、送信ユニット１１０から許可コンテンツ利用ノード１５０へ高レベルＱｏＳ基本部が伝送されることを想定しているが、これに限定されるものではない。例えば、高レベルＱｏＳ確保モードの際に、受信ユニット１２０及び許可コンテンツ利用ノード１５０の両方へ同等の品質のコンテンツを送信してもよい。この場合には、送信ユニット１１０は、高レベルＱｏＳ確保モードの際に、例えば、基本部に対してコンテンツ所有者及び許可コンテンツ利用者の両方が利用可能なコンテンツ保護を行って、さらに高レベルＱｏＳが必要であることを示す識別子を付加して送信し、中間ノード（管理ノード）１４０において、基本部が受信ユニット１２０及び許可コンテンツ利用ノード１５０の両方へ伝送されるようにしてもよい。このように、コンテンツの所有者が許可コンテンツ利用ノード１５０の所有者に対して同等の品質のコンテンツを提供する場合には、特に、コンテンツの不正利用を防止するための不正利用防止用付加情報を挿入することが有用である。
【００５９】
また、上述の通常送信モード及び高レベルＱｏＳ確保モードに加えて、その中間的な状態であるモード（以下、許可前モードと呼ぶこともある）を規定してもよい。許可前モードでは、高レベルのＱｏＳによってコンテンツが伝送されるものの、許可コンテンツ利用ノードに対しては、利用可能な状態のコンテンツは提供されない。この許可前モードは、例えば、放送シナリオではリハーサルの状態、警察シナリオではプライバシに係る情報がコンテンツに含まれる場合に有用である。以下、図４を参照しながら、許可前モードについて説明する。図４は、本発明の実施の形態において、通常送信モードから許可前モードに移行し、その後、許可前モードから高レベルＱｏＳ確保モードに移行する場合の一例を示す図である。
【００６０】
通常送信モードによるコンテンツ送信は、基本的に従来と同一である。すなわち、送信ユニット１１０から送信されたコンテンツはネットワーク１３０を経由して受信ユニット１２０へ届けられる。なお、図４では、コンテンツに対して階層符号化処理を施している場合を一例としている。送信ユニット１１０は、通常送信モードにおいては、例えば、基本部を高優先設定で送信し、拡張部を非優先設定で送信する。
【００６１】
ここで、通常送信モードから高レベルＱｏＳ確保モードに移行する場合を想定する。この場合、通常送信モードから高レベルＱｏＳ確保モードへすぐに移行してもよいが、高レベルＱｏＳにおいて要求されるＱｏＳ確保の確認などを行うために、いったん中間的な状態のモード（許可前モード）に移行した後に、高レベルＱｏＳ確保モードへ移行してもよい。
【００６２】
許可前モードは、通常送信モードと高レベルＱｏＳ確保モードの中間的な状態であり、合意に基づく一定期間でのみ利用できるようになっているなど、利用には制約が伴うことがある。この許可前モードは、コンテンツ所有者が高レベルＱｏＳ確保モードと同様にコンテンツの高レベルＱｏＳ確保を望んでいるが、許可コンテンツ利用ノード１５０に対しては利用可能な状態のコンテンツの提供を行いたくない場合に採用される。オペレータは、高レベルＱｏＳ確保モードと同様に、送信ユニット１１０から送信されるコンテンツに対して高レベルＱｏＳを確保するが、送信ユニット１１０から送信されるコンテンツを許可コンテンツ利用ノード１５０へは伝送しないか、あるいは、許可コンテンツ利用ノード１５０で参照又は利用不可能な状態で伝送される。すなわち、許可前モードでは、許可コンテンツ利用ノード１５０に許可コンテンツが利用可能な状態で提供されない点を除いて、高レベルＱｏＳモードと同様の動作が行われる。なお、本明細書では、送信ユニット１１０が許可前モードで送信を行うと判断したコンテンツを、一時提供不可コンテンツと呼ぶことがある。
【００６３】
許可前モードでは、送信ユニット１１０は、例えば、通常送信モードにおけるフォーマット（図３のＢに図示されているフォーマット）によるコンテンツの送信を行い、基本部に対して、高レベルＱｏＳが必要であることを示す識別子をさらに付加することが可能である。なお、さらに許可前モードであることを示す識別子を付加してもよい。中間ノード（管理ノード）１４０は、送信ユニット１１０から基本部を受信すると、基本部を受信ユニット１２０及び許可コンテンツ利用ノード１５０へ転送する。なお、基本部は、許可コンテンツ利用ノード１５０において復号不可能な状態で暗号化され、許可コンテンツ利用ノード１５０は、受信した基本部をそのまま格納してもよく（ただし、利用不可能な状態）、あるいは、格納せずに破棄してもよい。また、許可コンテンツ利用ノード１５０で基本部の格納や基本部に係るコンテンツの利用を行わないと確実に決められているのであれば、送信ユニット１１０は、必ずしも基本部の暗号化を行う必要はない。あるいは、中間ノード（管理ノード）１４０は、送信ユニット１１０から基本部を受信すると、許可コンテンツ利用ノード１５０へは基本部を転送しないようにしてもよい。
【００６４】
また、許可前モードでは、送信ユニット１１０は、例えば、高レベルＱｏＳ確保モードにおけるフォーマット（図３のＣに図示されているフォーマット）によるコンテンツの送信を行い、高レベルＱｏＳ基本部に対して、高レベルＱｏＳが必要であることを示す識別子を付加するが、許可コンテンツであることを示す識別子を付加しないようにすることが可能である。なお、さらに許可前モードであることを示す識別子（一時提供不可コンテンツであることを示す識別子）を付加してもよい。中間ノード（管理ノード）１４０は、送信ユニット１１０から高レベルＱｏＳ基本部を受信すると、高レベルＱｏＳ基本部を受信ユニット１２０及び許可コンテンツ利用ノード１５０へ転送する。なお、高レベルＱｏＳ基本部は、許可コンテンツ利用ノード１５０において復号不可能な状態で暗号化され、許可コンテンツ利用ノード１５０は、受信した高レベルＱｏＳ基本部をそのまま格納してもよく（ただし、利用不可能な状態）、あるいは、格納せずに破棄してもよい。また、許可コンテンツ利用ノード１５０で高レベルＱｏＳ基本部の格納や高レベルＱｏＳ基本部に係るコンテンツの利用を行わないと確実に決められているのであれば、送信ユニット１１０は、必ずしも高レベルＱｏＳ基本部の暗号化を行う必要はない。あるいは、中間ノード（管理ノード）１４０は、送信ユニット１１０から高レベルＱｏＳ基本部を受信すると、許可コンテンツ利用ノード１５０へは高レベルＱｏＳ基本部を転送しないようにしてもよい。
【００６５】
上述のように、通常送信モードと高レベルＱｏＳ確保モードとの間に許可前モードによる動作を行うことによって、送信ユニット１１０は、高レベルＱｏＳ確保モードによるコンテンツ送信前（本番前）に、許可コンテンツ利用ノード１５０で参照又は利用不可能なコンテンツを用いた高レベルＱｏＳ確保モードによるコンテンツ送信の練習（リハーサル）を行うことができるようになる。また、通常送信モードから高レベルＱｏＳ確保モードへの移行は、状態が大きく変更されるために失敗してしまう可能性があるが、中間状態である許可前モードによるコンテンツ送信の状態を一時提供不可コンテンツの送信によって維持しておくことで、高レベルＱｏＳ確保モードへの移行及びコンテンツ送信を容易かつ確実に行うことが可能となる。また、送信ユニット１１０は、高レベルＱｏＳ確保モードによるコンテンツ送信の最中に許可前モードによる送信を行うことで、高レベルＱｏＳ確保モードによるコンテンツを部分的に、許可コンテンツ利用ノード１５０で参照又は利用不可能なコンテンツ（すなわち、一時提供不可コンテンツ）とすることが可能となる。
【００６６】
なお、上述のように、許可前モードとして、通常通信モードと高レベルＱｏＳ確保モードとの中間状態について説明したが、上記した通り、必ずしも通常通信モードから高レベルＱｏＳ確保モードに切り替わる直前に実施される（リハーサルのようなケース）だけでなく、コンテンツ送信中に許可コンテンツ利用ノード１５０で参照又は利用することが適切ではない内容となった場合（プライバシに関わる情報を送信する必要がある場合）ではあるがコンテンツの高レベルＱｏＳ確保が望まれる場合に都度実施されるようになっていることが望ましい。この場合は、高レベルＱｏＳ確保モードと高レベルＱｏＳ確保モードの間に実施したり、高レベルＱｏＳ確保モードの後通常通信モードに移る前に実施したりする。モードを移行する順序が異なる以外は、それぞれのモードで実施するコンテンツの処理は、それぞれ、モードの移行に添って同様に行われる。
【００６７】
次に、上述の送信ユニット１１０の構成の一例について説明する。図５は、本発明の実施の形態における送信ユニット１１０の構成の一例を示すブロック図である。なお、図５には、送信ユニット１１０の各機能がブロックによって図示されているが、各ブロックはハードウェア又はソフトウェアによって実現可能である。
【００６８】
図５に図示されている送信ユニット１１０は、優先制御依頼部１１１、通信モード設定部１１２、コンテンツ送信部１１３を有しており、図２に図示されている送信ユニット１１０に係る処理を実行することが可能である。
【００６９】
優先制御依頼部１１１は、あらかじめ契約情報に基づいて合意した優先制御、あるいは、その都度合意した優先制御でのネットワーク接続及びコンテンツ伝送（高レベルＱｏＳ確保モードの設定に基づくコンテンツの伝送）を依頼する機能を有している。なお、この優先制御の依頼によって、一定期間の優先制御サービスの提供（どのくらい期間優先制御サービスを受けるか）、一定レベルのコンテンツの提供（どのくらいのレベルの優先制御を受けるか）、利用範囲の制限（どの基地局やアクセスネットワークからの接続、あるいは、どの送信元及びあて先のコンテンツに関して優先制御を受けるか）などを、ネットワーク１３０（ネットワーク１３０のオペレータ）との間で合意する。
【００７０】
ネットワーク１３０への接続要求（アクセス要求）時に優先制御の接続を行う場合には、送信ユニット１１０は、優先的にネットワーク１３０へアクセスすることができるアクセス制御モードで接続を行う。この場合の接続自体は通常とほぼ同様であり、優先アクセスを受けるための識別情報、若しくは優先アクセス可能なアクセス制御モードでの接続を試みる。一方、既にネットワーク１３０に接続されている場合に優先制御の接続を行う場合は、優先制御してもらえるデータコネクション（セッション／フロー）の設定、若しくは優先制御してもらえるデータへの識別情報をネットワーク１３０との間で交渉する。なお、コンテンツの暗号化を用いる場合は、許可コンテンツ利用ノードに格納される許可コンテンツ（の一部）を復号するための鍵の設定も行うが、あらかじめ、送信ユニット１１０と許可コンテンツ利用ノード１５０との間で鍵の共有が行われていてもよい。
【００７１】
また、通信モード設定部１１２は、ネットワーク１３０においてコンテンツ伝送の優先制御を行ってもらうかどうかを決定し、その決定結果をコンテンツ送信部１１３へ指示する機能を有している。具体的には、通信モード設定部１１２は、上述の通常送信モード、許可前モード、高レベルＱｏＳ確保モードのいずれかの通信モードによって動作を行うかを決定し、決定された通信モードによる送信ユニット１１０の動作を設定するために、コンテンツ送信部１１３に対して、コンテンツの処理方法を指示する。なお、通信モード設定部１１２は、上記モードの決定によって、許可コンテンツ利用ノード１５０におけるコンテンツの利用を許可するかどうかを決定することが可能である。
【００７２】
また、コンテンツ送信部１１３は、通信モード設定部１１２からの指示に従ってコンテンツの処理を行う機能を有しており、コンテンツ加工部１１４及びデータ送信部１１５を更に有している。
【００７３】
コンテンツ加工部１１４は、通常のコンテンツ送信時の加工に加えて、ネットワーク１３０において優先制御をしてもらうコンテンツを指定し（自動プログラムによる設定でもよく、手動設定でもよい）、通常の送信コンテンツに優先制御してもらうための識別情報を付加する機能を有している。具体的には、コンテンツ加工部１１４は、例えば、通常送信モード時には基本部に対して高優先制御を示す識別子（優先制御を受けるデータを示す識別子）を付加し、高レベルＱｏＳ確保モード時には高レベルＱｏＳ基本部及びＱｏＳ拡張部に対して高優先制御を示す識別子を付加するとともに、高レベルＱｏＳ基本部に対して許可コンテンツであることを示す識別子（許可コンテンツに格納することを示す識別子）を付加する。なお、セッション／フローで識別を行う場合には、設定したセッション／フローに対して識別子をセットし、ＩＤやヘッダなどの付加情報で区別できるようになっているとよい。セッションで識別を行う場合は、高スループットデータ用セッションを設定し、そのセッション（例えば対応するベアラ、ＩＰアドレス(送信元アドレス／あて先アドレス）、セッションＩＤなど)でコンテンツの送信を行うよう設定することが可能である。また、フローで識別を行う場合は、フローＩＤなどによって高スループットデータ用のフローを設定することが可能である。
【００７４】
また、コンテンツの暗号化を行う場合は、通常の暗号化モードに加え、合意したレベルのコンテンツ（一部もしくは全部）を復号鍵とする暗号化を行う。これにより、本来の送信先（受信ユニット１２０）ではコンテンツすべてを復号でき、コンテンツの提供先（許可コンテンツ利用ノード１５０）では合意したレベルのコンテンツを復号できるようになる。部分コンテンツ（例えば、高レベルＱｏＳ基本部）を許可コンテンツ利用ノード１５０に格納させる場合は、データの重複を抑えるために本来のコンテンツと部分コンテンツが階層化されているとよい。例えば、部分コンテンツは本来の送信先とコンテンツの提供先で復号可能とし、本来のコンテンツは部分コンテンツとの差分部分が本来のあて先でのみ復号できるようにする。また、コンテンツの送信先が複数となるので、送信データの重複を抑えるためにネットワーク１３０側で送信経路を制御できるようにするとよい。ネットワーク１３０側は、例えば、本来の送信先とコンテンツの提供先にネットワーク１３０側で振り分け、バイキャスト伝送（マルチキャスト伝送）を行う。なお、上述の階層化構造などによって本来の送信先とコンテンツの提供先の両方に伝送すべきデータパケット自体が区別できる場合は、ネットワーク１３０側は、該当するデータパケットのみバイキャスト伝送（マルチキャスト伝送）の処理を行うことが可能である。
【００７５】
コンテンツ加工部１１４は、許可コンテンツ利用ノード１５０での利用を許可するコンテンツに関しては、許可コンテンツ利用ノード１５０で利用可能な状態となるようにコンテンツの加工を行う。また、コンテンツ加工部１１４は、許可コンテンツ利用ノード１５０に格納させるコンテンツに不正利用防止用付加情報を加える場合は、該当するデータに不正利用防止用付加情報を挿入する処理を行う。なお、不正利用防止用付加情報を挿入する場合、重複がないように後から付加する不正利用防止用付加情報の差分を計算するとよい。不正利用防止用付加情報は、例えば、提供元（コンテンツの所有者）のロゴや著作権表示など、提供先へコンテンツを提供していることが分かるようになっているとよい。
【００７６】
また、データ送信部１１５は、通信モード設定部１１２の指示に基づいて、通常送信モード、許可前モード、高レベルＱｏＳ確保モードによるデータの送信を行う機能を有している。データ送信部１１５は、優先制御が必要なデータに関しては高スループットで送信を行う。また、セッションの切り替えなどが必要な場合は、適宜、データ送信部１１５によって行われる。
【００７７】
次に、上述の中間ノード（管理ノード）１４０の構成の一例について説明する。図６は、本発明の実施の形態における中間ノード（管理ノード）の構成の一例を示すブロック図である。なお、図６には、中間ノード（管理ノード）１４０の各機能がブロックによって図示されているが、各ブロックはハードウェア又はソフトウェアによって実現可能である。
【００７８】
図６に図示されている中間ノード（管理ノード）１４０は、優先制御設定部１４１、データ転送処理部１４２を有してり、図２に図示されている中間ノード（管理ノード）１４０に係る処理を実行することが可能である。
【００７９】
優先制御設定部１４１は、高スループットデータの伝送を優先制御するために、ネットワーク１３０におけるＱｏＳ設定やアクセス許可を行う機能を有している。なお、優先制御設定部１４１は、ネットワーク１３０へのアクセス制御を行う装置（例えば、基地局）などの制御を行うことが可能であり、また、各ネットワークノード内のデータ転送機能（自ノードのデータ転送処理部１４２を含む）に対してパケット転送の制御を行うことが可能である。
【００８０】
また、優先制御設定部１４１は、あらかじめ契約情報に基づいて合意した優先制御、あるいは、その都度合意した優先制御で、送信ユニット１１０のネットワーク接続及びコンテンツ伝送（高レベルＱｏＳ確保モードの設定に基づくコンテンツの伝送）を制御する機能を有している。なお、この優先制御の設定によって、一定期間の優先制御サービスの提供（どのくらい期間優先制御サービスを提供するか）、一定レベルのコンテンツの提供（どのくらいのレベルの優先制御を提供するか）、利用範囲の制限（どの基地局やアクセスネットワーク１３０からの接続、あるいは、どの送信元及びあて先のコンテンツに関して優先制御を提供するか）などを送信ユニット１１０（送信ユニット１１０の所有者）との間で合意する。また、データ転送処理部１４２におけるパケットデータ転送の転送先や転送方法についての設定を行う。
【００８１】
また、データ転送処理部１４２は、送信ユニット１１０から受信したパケットデータ優先制御対象のデータを見分け、それに応じた転送処理を行う機能を有している。具体的には、データ転送処理部１４２は、送信ユニット１１０から受信したパケットに付加されている識別情報に基づいて、高スループットで伝送すべきパケットかどうか、さらには、許可コンテンツ利用ノード１５０に格納すべきコンテンツを含むパケットかどうかを判断し、適宜、確保された高レベルのＱｏＳによる高スループット伝送を行ったり、パケットの複製を行って本来の送信先及び許可コンテンツ利用ノード１５０の両方へ転送（例えば、バイキャスト伝送（マルチキャスト伝送）によって）を行ったりすることが可能である。また、許可コンテンツ利用ノード１５０に格納される許可コンテンツが暗号化されている場合には、許可コンテンツの復号処理を行った後に、許可コンテンツ利用ノード１５０へ格納してもよい。
【００８２】
また、中間ノード（管理ノード）１４０は、ＡＡＡ（Authentication, Authorization and Accounting：認証・許可、アカウント）サーバに対して認証情報の問い合わせを行ったり、ＨＳＳ（Home Subscription Server：ホーム加入者サーバ）との間で課金情報の状態変化の確認や設定を行ったり、ＰＣＲＦ（Policy and Charging Rules Function）に対してＱｏＳ設定の更新を行ったりすることも可能である。なお、上述したように、中間ノード（管理ノード）１４０は、ネットワーク１３０側の機能をまとめて表現したものであり、中間ノード（管理ノード）１４０で実現される各機能は、ネットワーク１３０の各ノードに分散されていてもよい。
【産業上の利用可能性】
【００８３】
本発明は、突発的なトラフィックに対して、高品位ＱｏＳを確保して伝送できるようにするという効果、ユーザ側の通信コストを抑えたトラフィック伝送を実現するという効果、他のＱｏＳ確保されたトラフィックに優先して高スループットで伝送する必要があるトラフィックかどうかをネットワーク側が確認できるようにするという効果を有しており、高スループットの伝送を必要とするデータの伝送技術に適用可能である。
【図１】
2012032754.tif 000003
【図２】
2012032754.tif 000004
【図３】
2012032754.tif 000005
【図４】
2012032754.tif 000006
【図５】
2012032754.tif 000007
【図６】
2012032754.tif 000008
【図７】
2012032754.tif 000009
【手続補正書】
【提出日】平成25年1月28日(2013.1.28)
【手続補正１】
【補正対象書類名】特許請求の範囲
【補正対象項目名】全文
【補正方法】変更
【補正の内容】
【特許請求の範囲】
【請求項１】
ネットワークと接続を行ってデータパケットの送信を行うコンテンツ送信装置であって、
高スループットの伝送を必要とするコンテンツに関して、他の受信端末に比較して前記コンテンツの受信に制限を設けるコンテンツ受信ノードでの利用を許可するかどうかを決定するコンテンツ利用可否決定部と、
前記コンテンツ利用可否決定部において、前記コンテンツ受信ノードでの利用を許可すると判断したコンテンツに関しては、前記コンテンツ受信ノードにおいて利用可能な状態に加工するコンテンツ加工部と、
前記コンテンツ加工部で加工された前記コンテンツを含む前記データパケットを前記ネットワークへ送信するデータ送信部とを、
有するコンテンツ送信装置。
【請求項２】
前記コンテンツ加工部が、前記コンテンツ受信ノードでの利用を許可すると判断した前記コンテンツを含む前記データパケットに対して、前記データパケットが高優先かつ広帯域で伝送されるべきパケットであることを示す第１識別情報、及び、前記コンテンツ受信ノードにおいて前記データパケットに含まれる前記コンテンツが利用可能であることを示す第２識別情報を付加するように構成されている請求項１に記載のコンテンツ送信装置。
【請求項３】
前記コンテンツ加工部が、前記コンテンツ受信ノードでの利用を許可すると判断した前記コンテンツに関して、前記他の受信端末及び前記コンテンツ受信ノードの両方で復号可能な鍵を用いて暗号化を行うように構成されている請求項２に記載のコンテンツ送信装置。
【請求項４】
前記コンテンツ受信ノードが複数存在する場合には、前記コンテンツ加工部が、複数の前記コンテンツ受信ノードのそれぞれに関して個別に復号可能な鍵を用いて暗号化を行うように構成されている請求項３に記載のコンテンツ送信装置。
【請求項５】
前記コンテンツ加工部が、前記コンテンツ受信ノードでの利用を許可すると判断した前記コンテンツに関して、不正利用防止のための処理を行うよう構成されている請求項１に記載のコンテンツ送信装置。
【請求項６】
前記コンテンツ加工部が、前記コンテンツ受信ノードでの利用を許可すると判断した前記コンテンツの不正利用防止のため、前記コンテンツ受信ノード内でのみ復号可能とする設定を行うように構成されている請求項５に記載のコンテンツ送信装置。
【請求項７】
前記コンテンツ加工部が、前記コンテンツ受信ノードでの利用を許可しないと判断した前記コンテンツに関して、前記データパケットを前記コンテンツ受信ノードで復号不可能な鍵を用いて暗号化を行うように構成されている請求項１に記載のコンテンツ送信装置。
【請求項８】
前記コンテンツ加工部が、前記コンテンツ受信ノードでの利用を許可すると判断した前記コンテンツを、階層構造化処理を用いて、基本部と、前記基本部の情報量を補填する情報を含む拡張部とに分け、前記基本部を含むデータパケットと、前記拡張部を含むデータパケットとを生成するように構成されている請求項１に記載のコンテンツ送信装置。
【請求項９】
前記コンテンツ加工部が、前記基本部を含むデータパケットに関しては、前記他の受信端末及び前記コンテンツ受信ノードの両方で復号可能な鍵を用いて暗号化を行う一方、前記拡張部を含むデータパケットに関しては、前記コンテンツ受信ノードで復号不可能な鍵を用いて暗号化を行うように構成されている請求項８に記載のコンテンツ送信装置。
【請求項１０】
前記コンテンツ加工部が、前記基本部を含むデータパケット及び前記拡張部を含むデータパケットに対して、前記データパケットが高優先かつ広帯域で伝送されるべきパケットであることを示す第１識別情報、及び、前記コンテンツ受信ノードにおいて前記データパケットに含まれる前記コンテンツが利用可能であることを示す第２識別情報を付加するように構成されている請求項９に記載のコンテンツ送信装置。
【請求項１１】
前記コンテンツ加工部が、前記基本部を含むデータパケット及び前記拡張部を含むデータパケットに関して、前記他の受信端末及び前記コンテンツ受信ノードの両方で復号可能な鍵を用いて暗号化を行い、前記基本部を含むデータパケットに対しては、前記データパケットが高優先かつ広帯域で伝送されるべきパケットであることを示す第１識別情報、及び、前記コンテンツ受信ノードにおいて前記データパケットに含まれる前記コンテンツが利用可能であることを示す第２識別情報を前記データパケットに付加し、前記拡張部を含むデータパケットに対しては前記第１識別情報を付加する一方で前記第２識別情報を付加しないように構成されている請求項１０に記載のコンテンツ送信装置。
【請求項１２】
前記コンテンツ受信ノードでの利用を許可しないと判断した前記コンテンツが、前記コンテンツ受信ノードでの利用を一時的に許可しない一時提供不可コンテンツである場合には、前記コンテンツ加工部は、前記一時提供不可コンテンツを含むデータパケットに対して前記コンテンツ受信ノードで復号不可能な鍵を用いて暗号化を行うように構成されている請求項１に記載のコンテンツ送信装置。
【請求項１３】
前記コンテンツ加工部が、前記一時提供不可コンテンツを含む前記データパケットに対して、前記データパケットが高優先かつ広帯域で伝送されるべきパケットであることを示す第１識別情報、及び、前記コンテンツ受信ノードにおいて前記データパケットに含まれる前記コンテンツが利用可能であることを示す第２識別情報を付加するように構成されている請求項１２に記載のコンテンツ送信装置。
【請求項１４】
前記コンテンツ受信ノードでの利用を許可しないと判断した前記コンテンツが、前記コンテンツ受信ノードでの利用を一時的に許可しない一時提供不可コンテンツである場合には、前記コンテンツ加工部が、前記一時提供不可コンテンツを含むデータパケットに関して、前記データパケットが高優先かつ広帯域で伝送されるべきパケットであることを示す第１識別情報を付加する一方、前記コンテンツ受信ノードにおいて前記データパケットに含まれる前記コンテンツが利用可能であることを示す第２識別情報を付加しないように構成されている請求項１に記載のコンテンツ送信装置。
【請求項１５】
前記コンテンツ加工部が、前記コンテンツ受信ノードでの利用を許可しないと判断した前記コンテンツを含むデータパケットに対して、前記データパケットが高優先かつ広帯域で伝送されるべきパケットであることを示す第１識別情報を付加する一方で、前記コンテンツ受信ノードにおいて前記データパケットに含まれる前記コンテンツが利用可能であることを示す第２識別情報を付加しないように構成されている請求項１に記載のコンテンツ送信装置。
【請求項１６】
前記コンテンツ受信ノードに前記コンテンツを転送する対価として、前記コンテンツ受信ノードでの利用を許可しない前記コンテンツに関するデータパケット伝送の優先制御を受けるための設定を前記ネットワークとの間で行う優先制御設定部を有する請求項１に記載のコンテンツ送信装置。
【請求項１７】
前記コンテンツ受信ノードに前記コンテンツを転送する対価として、前記優先制御設定部が、さらに、前記コンテンツ受信ノードでの利用を許可する前記コンテンツに関するデータパケット伝送の優先制御を受けるための設定を前記ネットワークとの間で行うように構成されている請求項１６に記載のコンテンツ送信装置。
【請求項１８】
ネットワーク上に存在し、ネットワークに接続するコンテンツ送信装置から送信されるコンテンツを含むデータパケットの転送を行うネットワークノードであって、
高優先かつ広帯域で伝送されるべきデータパケットであることを示す第１識別情報と、他の受信端末に比較して前記コンテンツの受信に制限を設けるコンテンツ受信ノードにおいて前記データパケットに含まれるコンテンツの利用を許可することを示す第２識別情報とが付加された前記データパケットを転送する場合には前記データパケットを複製して、複製後の一方のデータパケットを前記他の受信端末あてに転送するとともに、複製後の他方のデータパケットを前記コンテンツ受信ノードへ転送するデータ転送処理部を有するネットワークノード。
【請求項１９】
前記コンテンツ送信装置が前記コンテンツ受信ノードに前記コンテンツを提供する対価として、前記コンテンツ受信ノードに提供する前記コンテンツを含むデータパケット伝送の優先制御を行うための設定を前記コンテンツ送信装置との間で行う優先制御設定部を有する請求項１８に記載のネットワークノード。
【請求項２０】
前記データ転送処理部が、前記コンテンツ受信ノードへ転送する前記コンテンツを含む前記データパケットに対して、前記コンテンツ受信ノードで復号不可能な鍵を用いて暗号化を行うように構成されている請求項１８に記載のネットワークノード。
【国際調査報告】
2012032754.tif 000010
2012032754.tif 000011